(57)【要約】【課題】比較的に簡単な作業により複数のユーザが同一コンテンツを同時に視聴する。【解決手段】サーバ装置２０は、コンテンツ再生端末１０からコンテンツの再生履歴を表す再生履歴情報を取得する再生履歴情報取得部２１ａ、再生履歴情報に基づいて、予め定められた関係を有する関連コンテンツの再生時期を求める再生時期分析部２１ｂ、コンテンツ再生端末１０からコンテンツを特定するコンテンツ情報を受け取り、関連コンテンツ識別情報、関連コンテンツの再生時期に基づいて、受け取ったコンテンツを再生する予定時刻を求める再生スケジュール決定部２１ｃ、その予定時刻を表す再生スケジュール情報をコンテンツ再生端末１０に提供する再生スケジュール情報提供部２１ｄを備える。【選択図】図２
2013207793.tif 000002
【特許請求の範囲】
【請求項１】
コンテンツ再生端末から、前記コンテンツ再生端末で再生されたコンテンツの再生履歴を表す再生履歴情報を取得する再生履歴情報取得部と、
前記再生履歴情報に基づいて、予め定められた関係を有する関連コンテンツの再生時期を求める再生時期分析部と、
前記コンテンツ再生端末から前記コンテンツを特定するコンテンツ情報を受け取り、前記関連コンテンツを識別する関連コンテンツ識別情報と前記再生時期分析部により求められた前記関連コンテンツの再生時期とに基づいて、受け取った前記コンテンツを再生する予定時刻を求める再生スケジュール決定部と、
前記再生スケジュール決定部により求められた前記コンテンツを再生する予定時刻を表す再生スケジュール情報を前記コンテンツ再生端末に提供する再生スケジュール情報提供部と、を備える、
ことを特徴とするサーバ装置。
【請求項２】
前記再生スケジュール決定部により求められた前記予定時刻に、前記コンテンツを再生する前記コンテンツ再生端末がコメントを共有するための接続先を設定する接続先設定部を備える、
ことを特徴とする請求項１に記載のサーバ装置。
【請求項３】
前記再生スケジュール決定部により求められた前記予定時刻に、前記コンテンツを再生する各コンテンツ再生端末からコメントを受け取り、受け取った前記コメントを前記接続先設定部により設定された前記接続先に記録し、前記接続先に記録された前記コメントを、前記接続先に接続された各コンテンツ再生端末に提供するコメント処理部、を備える、
ことを特徴とする請求項２に記載のサーバ装置。
【請求項４】
前記再生時期分析部は、前記再生履歴情報により表される前記コンテンツの再生時刻に基づいて前記コンテンツが再生される時間帯毎の再生回数を求め、求めた時間帯毎の再生回数に基づいて、前記関連コンテンツが再生される時間帯を求める、
ことを特徴とする請求項１乃至３の何れか１項に記載のサーバ装置。
【請求項５】
前記再生時期分析部は、前記時間帯毎の再生回数が最多である時間帯を、前記関連コンテンツが再生される時間帯として求める、
ことを特徴とする請求項４に記載のサーバ装置。
【請求項６】
前記再生時期分析部は、前記再生履歴情報により表される前記コンテンツの再生日及び放送日に基づいて前記コンテンツが録画されてから最初に再生されるまでの日数を求め、求めた日数毎の再生回数に基づいて、前記関連コンテンツが録画されてから最初に再生されるまでの日数を求める、
ことを特徴とする請求項１乃至４の何れか１項に記載のサーバ装置。
【請求項７】
前記再生時期分析部は、前記日数毎の再生回数が最多である日数を、前記関連コンテンツが録画されてから最初に再生されるまでの日数として求める、
ことを特徴とする請求項６に記載のサーバ装置。
【請求項８】
前記再生時期分析部は、前記再生履歴情報に基づいて、前記関連コンテンツの再生時期の候補を複数求める、
ことを特徴とする請求項１乃至７の何れか１項に記載のサーバ装置。
【請求項９】
予め定められた関係を有する関連コンテンツの再生時期が記録されたサーバ装置にコンテンツを特定するコンテンツ情報を送信し、前記コンテンツを再生する予定時刻を表す再生スケジュール情報を前記サーバ装置から取得する再生スケジュール情報取得部と、
前記再生スケジュール情報取得部が取得した前記再生スケジュール情報により表される前記コンテンツを再生する予定時刻に基づいて、前記コンテンツを再生予約する再生予約設定部と、
前記再生予約設定部により再生予約された前記コンテンツを前記予定時刻に基づいて再生する再生制御部と、を備える、
ことを特徴とするコンテンツ再生端末。
【請求項１０】
自身の端末で再生されたコンテンツの再生履歴を表す再生履歴情報を前記サーバ装置に送信する再生履歴情報送信部を備える、
ことを特徴とする請求項９に記載のコンテンツ再生端末。
【請求項１１】
前記再生制御部により再生される前記予定時刻に基づいて、他の端末との間でコメントを共有するための接続先に接続する通信制御部を備える、
ことを特徴とする請求項９または１０に記載のコンテンツ再生端末。
【請求項１２】
前記コンテンツを記憶するコンテンツ記憶部と、
複数の番組から構成される番組表を表す放送番組情報を記憶する放送番組情報記憶部と、を備え、
前記再生スケジュール情報取得部は、前記コンテンツ記憶部に記録された前記コンテンツを特定するコンテンツ情報を、予め設定されたタイミングで前記サーバ装置に送信し、前記サーバ装置から取得した前記コンテンツに対応する前記再生スケジュール情報を前記放送番組情報に追加し、
前記再生予約設定部は、前記放送番組情報に追加された前記再生スケジュール情報の中から選択された再生スケジュール情報により表される予定時刻に基づいて前記コンテンツを再生予約する、
ことを特徴とする請求項９乃至１１の何れか１項に記載のコンテンツ再生端末。
【請求項１３】
前記コンテンツを記憶するコンテンツ記憶部と、
複数の番組から構成される番組表を表す放送番組情報を記憶する放送番組情報記憶部と、を備え、
前記再生スケジュール情報取得部は、前記コンテンツ記憶部に記録された前記コンテンツから選択された一のコンテンツを特定するコンテンツ情報を前記サーバ装置に送信し、前記サーバ装置から取得した前記一のコンテンツに対応する前記再生スケジュール情報を前記放送番組情報に追加し、
前記再生予約設定部は、前記放送番組情報に追加された前記再生スケジュール情報から前記一のコンテンツの再生予約を行うための再生スケジュール情報を選択し、選択された前記再生スケジュール情報により表される前記予定時刻に基づいて、前記一のコンテンツを再生予約する、
ことを特徴とする請求項９乃至１１の何れか１項に記載のコンテンツ再生端末。
【請求項１４】
前記再生スケジュール情報取得部は、前記放送番組情報記憶部に記録された前記放送番組情報から選択された一のコンテンツを特定するコンテンツ情報を前記サーバ装置に送信し、前記サーバ装置から取得した前記一のコンテンツに対応する前記再生スケジュール情報を前記放送番組情報に追加し、
前記再生予約設定部は、前記放送番組情報に追加された前記再生スケジュール情報から前記一のコンテンツの再生予約を行うための再生スケジュール情報を選択し、選択された前記再生スケジュール情報により表される前記予定時刻に基づいて前記一のコンテンツを再生予約するとともに、前記コンテンツを録画予約する、
ことを特徴とする請求項１３に記載のコンテンツ再生端末。
【請求項１５】
コンテンツを再生するコンテンツ再生端末と、前記コンテンツ再生端末と通信を行うサーバ装置とを備えたコンテンツ再生システムであって、
前記サーバ装置は、
前記コンテンツ再生端末から、前記コンテンツ再生端末で再生されたコンテンツの再生履歴を表す再生履歴情報を取得する再生履歴情報取得部と、
前記再生履歴情報に基づいて、予め定められた関係を有する関連コンテンツの再生時期を求める再生時期分析部と、
前記コンテンツ再生端末から前記コンテンツを特定するコンテンツ情報を受け取り、前記関連コンテンツを識別する関連コンテンツ識別情報と前記再生時期分析部により求められた前記関連コンテンツの再生時期とに基づいて、受け取った前記コンテンツを再生する予定時刻を求める再生スケジュール決定部と、
前記再生スケジュール決定部により求められた前記コンテンツを再生する予定時刻を表す再生スケジュール情報を前記コンテンツ再生端末に提供する再生スケジュール情報提供部と、を備え、
前記コンテンツ再生端末は、
前記サーバ装置に前記コンテンツを特定するコンテンツ情報を送信し、前記コンテンツを再生する予定時刻を表す再生スケジュール情報を前記サーバ装置から取得する再生スケジュール情報取得部と、
前記再生スケジュール情報取得部が取得した前記再生スケジュール情報により表される前記コンテンツを再生する予定時刻に基づいて、前記コンテンツを再生予約する再生予約設定部と、
前記再生予約設定部により再生予約された前記コンテンツを前記予定時刻に基づいて再生する再生制御部と、を備える、
ことを特徴とするコンテンツ再生システム。
【請求項１６】
コンテンツを再生するコンテンツ再生端末と、前記コンテンツ再生端末と通信を行うサーバ装置とを用いたコンテンツ再生方法であって、
前記サーバ装置が、前記コンテンツ再生端末から、前記コンテンツ再生端末で再生されたコンテンツの再生履歴を表す再生履歴情報を取得する再生履歴情報取得ステップと、
前記サーバ装置が、前記再生履歴情報に基づいて、予め定められた関係を有する関連コンテンツの再生時期を求める再生時期分析ステップと、
前記サーバ装置が、前記コンテンツ再生端末から前記コンテンツを特定するコンテンツ情報を受け取り、前記関連コンテンツを識別する関連コンテンツ識別情報と前記再生時期分析部により求められた前記関連コンテンツの再生時期とに基づいて、受け取った前記コンテンツを再生する予定時刻を求める再生スケジュール決定ステップと、
前記サーバ装置が、前記再生スケジュール決定ステップで求められた前記コンテンツを再生する予定時刻を表す再生スケジュール情報を前記コンテンツ再生端末に提供する再生スケジュール情報提供ステップと、
前記コンテンツ再生端末が、前記サーバ装置に前記コンテンツを特定するコンテンツ情報を送信し、前記コンテンツを再生する予定時刻を表す再生スケジュール情報を前記サーバ装置から取得する再生スケジュール情報取得ステップと、
前記コンテンツ再生端末が、前記再生スケジュール情報取得ステップで取得した前記再生スケジュール情報により表される前記コンテンツを再生する予定時刻に基づいて、前記コンテンツを再生予約する再生予約設定ステップと、
前記コンテンツ再生端末が、前記再生予約設定ステップで再生予約された前記コンテンツを前記予定時刻に基づいて再生する再生制御ステップと、を有する、
ことを特徴とするコンテンツ再生方法。
【請求項１７】
コンピュータを、
コンテンツ再生端末から、前記コンテンツ再生端末で再生されたコンテンツの再生履歴を表す再生履歴情報を取得する再生履歴情報取得部、
前記再生履歴情報に基づいて、予め定められた関係を有する関連コンテンツの再生時期を求める再生時期分析部、
前記コンテンツ再生端末から前記コンテンツを特定するコンテンツ情報を受け取り、前記関連コンテンツを識別する関連コンテンツ識別情報と前記再生時期分析部により求められた前記関連コンテンツの再生時期とに基づいて、受け取った前記コンテンツを再生する予定時刻を求める再生スケジュール決定部、
前記再生スケジュール決定部により求められた前記コンテンツを再生する予定時刻を表す再生スケジュール情報を前記コンテンツ再生端末に提供する再生スケジュール情報提供部、として機能させる、
ことを特徴とするプログラム。
【請求項１８】
コンピュータを、
予め定められた関係を有する関連コンテンツの再生時期が記録されたサーバ装置にコンテンツを特定するコンテンツ情報を送信し、前記コンテンツを再生する予定時刻を表す再生スケジュール情報を前記サーバ装置から取得する再生スケジュール情報取得部、
前記再生スケジュール情報取得部が取得した前記再生スケジュール情報により表される前記コンテンツを再生する予定時刻に基づいて、前記コンテンツを再生予約する再生予約設定部、
前記再生予約設定部により再生予約された前記コンテンツを前記予定時刻に基づいて再生する再生制御部、として機能させる、
ことを特徴とするプログラム。
【発明の詳細な説明】
【技術分野】
【０００１】
本発明は、サーバ装置、コンテンツ再生端末、コンテンツ再生システム、コンテンツ再生方法、及びプログラムに関する。
【背景技術】
【０００２】
ニュース、ドラマ、音楽等の様々な放送番組コンテンツの録画予約を行う情報（録画予約情報）を、事前に登録された複数のコンテンツ再生端末により構成されるグループ内で共有するシステムが特許文献１に開示されている。
【０００３】
このシステムでは、グループ内で共有される録画予約情報によって、各コンテンツ再生端末に同一の放送番組コンテンツが記録される。また、このシステムでは、グループ内の一のコンテンツ再生端末が記録済みの放送番組コンテンツを再生するとき、そのコンテンツ再生端末は、他のコンテンツ再生端末との間で同期処理を行い、各コンテンツ再生端末は、同じ放送番組コンテンツを同時に再生する。これにより、グループに属する各ユーザは、同一コンテンツを同時に視聴することができる。
【先行技術文献】
【特許文献】
【０００４】
【特許文献１】特開２０１０−６２９６３号公報
【発明の概要】
【発明が解決しようとする課題】
【０００５】
しかしながら、特許文献１に開示されたシステムでは、いつ、どのコンテンツが再生されるのかをユーザ間で決定して把握しておかなければならず、複数のユーザが同一コンテンツを同時に視聴するための作業が繁雑で使い勝手が悪いという問題があった。
【０００６】
本発明は、このような問題に鑑みてなされたものであり、比較的に簡単な作業により複数のユーザが同一コンテンツを同時に視聴できる、サーバ装置、コンテンツ再生端末、コンテンツ再生システム、コンテンツ再生方法、及びプログラムを提供することを目的とする。
【課題を解決するための手段】
【０００７】
本発明の第１の観点に係るサーバ装置は、
コンテンツ再生端末から、前記コンテンツ再生端末で再生されたコンテンツの再生履歴を表す再生履歴情報を取得する再生履歴情報取得部と、
前記再生履歴情報に基づいて、予め定められた関係を有する関連コンテンツの再生時期を求める再生時期分析部と、
前記コンテンツ再生端末から前記コンテンツを特定するコンテンツ情報を受け取り、前記関連コンテンツを識別する関連コンテンツ識別情報と前記再生時期分析部により求められた前記関連コンテンツの再生時期とに基づいて、受け取った前記コンテンツを再生する予定時刻を求める再生スケジュール決定部と、
前記再生スケジュール決定部により求められた前記コンテンツを再生する予定時刻を表す再生スケジュール情報を前記コンテンツ再生端末に提供する再生スケジュール情報提供部と、を備える。
【０００８】
サーバ装置において、前記再生スケジュール決定部により求められた前記予定時刻に、前記コンテンツを再生する前記コンテンツ再生端末がコメントを共有するための接続先を設定する接続先設定部を備えても良い。
【０００９】
サーバ装置において、前記再生スケジュール決定部により求められた前記予定時刻に、前記コンテンツを再生する各コンテンツ再生端末からコメントを受け取り、受け取った前記コメントを前記接続先設定部により設定された前記接続先に記録し、前記接続先に記録された前記コメントを、前記接続先に接続された各コンテンツ再生端末に提供するコメント処理部、を備えても良い。
【００１０】
サーバ装置において、前記再生時期分析部は、前記再生履歴情報により表される前記コンテンツの再生時刻に基づいて前記コンテンツが再生される時間帯毎の再生回数を求め、求めた時間帯毎の再生回数に基づいて、前記関連コンテンツが再生される時間帯を求めても良い。
【００１１】
サーバ装置において、前記再生時期分析部は、前記時間帯毎の再生回数が最多である時間帯を、前記関連コンテンツが再生される時間帯として求めても良い。
【００１２】
サーバ装置において、前記再生時期分析部は、前記再生履歴情報により表される前記コンテンツの再生日及び放送日に基づいて前記コンテンツが録画されてから最初に再生されるまでの日数を求め、求めた日数毎の再生回数に基づいて、前記関連コンテンツが録画されてから最初に再生されるまでの日数を求めても良い。
【００１３】
サーバ装置において、前記再生時期分析部は、前記日数毎の再生回数が最多である日数を、前記関連コンテンツが録画されてから最初に再生されるまでの日数として求めても良い。
【００１４】
サーバ装置において、前記再生時期分析部は、前記再生履歴情報に基づいて、前記関連コンテンツの再生時期の候補を複数求めても良い。
【００１５】
本発明の第２の観点に係るコンテンツ再生端末は、
予め定められた関係を有する関連コンテンツの再生時期が記録されたサーバ装置にコンテンツを特定するコンテンツ情報を送信し、前記コンテンツを再生する予定時刻を表す再生スケジュール情報を前記サーバ装置から取得する再生スケジュール情報取得部と、
前記再生スケジュール情報取得部が取得した前記再生スケジュール情報により表される前記コンテンツを再生する予定時刻に基づいて、前記コンテンツを再生予約する再生予約設定部と、
前記再生予約設定部により再生予約された前記コンテンツを前記予定時刻に基づいて再生する再生制御部と、を備える。
【００１６】
コンテンツ再生端末において、自身の端末で再生されたコンテンツの再生履歴を表す再生履歴情報を前記サーバ装置に送信する再生履歴情報送信部を備えても良い。
【００１７】
コンテンツ再生端末において、前記再生制御部により再生される前記予定時刻に基づいて、他の端末との間でコメントを共有するための接続先に接続する通信制御部を備えても良い。
【００１８】
コンテンツ再生端末において、前記コンテンツを記憶するコンテンツ記憶部と、複数の番組から構成される番組表を表す放送番組情報を記憶する放送番組情報記憶部と、を備え、前記再生スケジュール情報取得部は、前記コンテンツ記憶部に記録された前記コンテンツを特定するコンテンツ情報を、予め設定されたタイミングで前記サーバ装置に送信し、前記サーバ装置から取得した前記コンテンツに対応する前記再生スケジュール情報を前記放送番組情報に追加し、前記再生予約設定部は、前記放送番組情報に追加された前記再生スケジュール情報の中から選択された再生スケジュール情報により表される予定時刻に基づいて前記コンテンツを再生予約しても良い。
【００１９】
コンテンツ再生端末において、前記コンテンツを記憶するコンテンツ記憶部と、複数の番組から構成される番組表を表す放送番組情報を記憶する放送番組情報記憶部と、を備え、前記再生スケジュール情報取得部は、前記コンテンツ記憶部に記録された前記コンテンツから選択された一のコンテンツを特定するコンテンツ情報を前記サーバ装置に送信し、前記サーバ装置から取得した前記一のコンテンツに対応する前記再生スケジュール情報を前記放送番組情報に追加し、前記再生予約設定部は、前記放送番組情報に追加された前記再生スケジュール情報から前記一のコンテンツの再生予約を行うための再生スケジュール情報を選択し、選択された前記再生スケジュール情報により表される前記予定時刻に基づいて、前記一のコンテンツを再生予約しても良い。
【００２０】
コンテンツ再生端末において、前記再生スケジュール情報取得部は、前記放送番組情報記憶部に記録された前記放送番組情報から選択された一のコンテンツを特定するコンテンツ情報を前記サーバ装置に送信し、前記サーバ装置から取得した前記一のコンテンツに対応する前記再生スケジュール情報を前記放送番組情報に追加し、前記再生予約設定部は、前記放送番組情報に追加された前記再生スケジュール情報から前記一のコンテンツの再生予約を行うための再生スケジュール情報を選択し、選択された前記再生スケジュール情報により表される前記予定時刻に基づいて前記一のコンテンツを再生予約するとともに、前記コンテンツを録画予約しても良い。
【００２１】
本発明の第３の観点に係るコンテンツ再生システムは、
コンテンツを再生するコンテンツ再生端末と、前記コンテンツ再生端末と通信を行うサーバ装置とを備えたコンテンツ再生システムであって、
前記サーバ装置は、
前記コンテンツ再生端末から、前記コンテンツ再生端末で再生されたコンテンツの再生履歴を表す再生履歴情報を取得する再生履歴情報取得部と、
前記再生履歴情報に基づいて、予め定められた関係を有する関連コンテンツの再生時期を求める再生時期分析部と、
前記コンテンツ再生端末から前記コンテンツを特定するコンテンツ情報を受け取り、前記関連コンテンツを識別する関連コンテンツ識別情報と前記再生時期分析部により求められた前記関連コンテンツの再生時期とに基づいて、受け取った前記コンテンツを再生する予定時刻を求める再生スケジュール決定部と、
前記再生スケジュール決定部により求められた前記コンテンツを再生する予定時刻を表す再生スケジュール情報を前記コンテンツ再生端末に提供する再生スケジュール情報提供部と、を備え、
前記コンテンツ再生端末は、
前記サーバ装置に前記コンテンツを特定するコンテンツ情報を送信し、前記コンテンツを再生する予定時刻を表す再生スケジュール情報を前記サーバ装置から取得する再生スケジュール情報取得部と、
前記再生スケジュール情報取得部が取得した前記再生スケジュール情報により表される前記コンテンツを再生する予定時刻に基づいて、前記コンテンツを再生予約する再生予約設定部と、
前記再生予約設定部により再生予約された前記コンテンツを前記予定時刻に基づいて再生する再生制御部と、を備える。
【００２２】
本発明の第４の観点に係るコンテンツ再生方法は、
コンテンツを再生するコンテンツ再生端末と、前記コンテンツ再生端末と通信を行うサーバ装置とを用いたコンテンツ再生方法であって、
前記サーバ装置が、前記コンテンツ再生端末から、前記コンテンツ再生端末で再生されたコンテンツの再生履歴を表す再生履歴情報を取得する再生履歴情報取得ステップと、
前記サーバ装置が、前記再生履歴情報に基づいて、予め定められた関係を有する関連コンテンツの再生時期を求める再生時期分析ステップと、
前記サーバ装置が、前記コンテンツ再生端末から前記コンテンツを特定するコンテンツ情報を受け取り、前記関連コンテンツを識別する関連コンテンツ識別情報と前記再生時期分析部により求められた前記関連コンテンツの再生時期とに基づいて、受け取った前記コンテンツを再生する予定時刻を求める再生スケジュール決定ステップと、
前記サーバ装置が、前記再生スケジュール決定ステップで求められた前記コンテンツを再生する予定時刻を表す再生スケジュール情報を前記コンテンツ再生端末に提供する再生スケジュール情報提供ステップと、
前記コンテンツ再生端末が、前記サーバ装置に前記コンテンツを特定するコンテンツ情報を送信し、前記コンテンツを再生する予定時刻を表す再生スケジュール情報を前記サーバ装置から取得する再生スケジュール情報取得ステップと、
前記コンテンツ再生端末が、前記再生スケジュール情報取得ステップで取得した前記再生スケジュール情報により表される前記コンテンツを再生する予定時刻に基づいて、前記コンテンツを再生予約する再生予約設定ステップと、
前記コンテンツ再生端末が、前記再生予約設定ステップで再生予約された前記コンテンツを前記予定時刻に基づいて再生する再生制御ステップと、を有する。
【００２３】
本発明の第５の観点に係るプログラムは、
コンピュータを、
コンテンツ再生端末から、前記コンテンツ再生端末で再生されたコンテンツの再生履歴を表す再生履歴情報を取得する再生履歴情報取得部、
前記再生履歴情報に基づいて、予め定められた関係を有する関連コンテンツの再生時期を求める再生時期分析部、
前記コンテンツ再生端末から前記コンテンツを特定するコンテンツ情報を受け取り、前記関連コンテンツを識別する関連コンテンツ識別情報と前記再生時期分析部により求められた前記関連コンテンツの再生時期とに基づいて、受け取った前記コンテンツを再生する予定時刻を求める再生スケジュール決定部、
前記再生スケジュール決定部により求められた前記コンテンツを再生する予定時刻を表す再生スケジュール情報を前記コンテンツ再生端末に提供する再生スケジュール情報提供部、として機能させる。
【００２４】
本発明の第６の観点に係るプログラムは、
コンピュータを、
予め定められた関係を有する関連コンテンツの再生時期が記録されたサーバ装置にコンテンツを特定するコンテンツ情報を送信し、前記コンテンツを再生する予定時刻を表す再生スケジュール情報を前記サーバ装置から取得する再生スケジュール情報取得部、
前記再生スケジュール情報取得部が取得した前記再生スケジュール情報により表される前記コンテンツを再生する予定時刻に基づいて、前記コンテンツを再生予約する再生予約設定部、
前記再生予約設定部により再生予約された前記コンテンツを前記予定時刻に基づいて再生する再生制御部、として機能させる。
【発明の効果】
【００２５】
本発明によれば、比較的に簡単な作業で複数のユーザが同一コンテンツを同時に視聴できる。
【図面の簡単な説明】
【００２６】
【図１】本発明の第１及び第２の実施形態に係るコンテンツ再生システムの構成を示す図である。
【図２】本発明の第１の実施形態に係るサーバ装置の構成を示すブロック図である。
【図３】図２に示したサーバ装置が記憶する再生履歴情報の構成を示す図である。
【図４】図２に示したサーバ装置が記憶する再生傾向情報の構成を示す図である。
【図５】図２に示したサーバ装置が記憶する再生スケジュール情報の構成を示す図である。
【図６】本発明の第１の実施形態に係るコンテンツ再生端末の構成を示すブロック図である。
【図７】図６に示したコンテンツ再生端末が記憶するコンテンツの属性情報の構成を示す図である。
【図８】図６に示したコンテンツ再生端末が記憶する再生履歴情報の構成を示す図である。
【図９】図６に示したコンテンツ再生端末が記憶する再生スケジュール情報（再生予約情報）の構成を示す図である。
【図１０】本発明の第１の実施形態に係るコンテンツ再生端末が行う再生履歴情報送信処理のフローチャートである。
【図１１】本発明の第１の実施形態に係るサーバ装置が行う再生履歴情報記録処理のフローチャートである。
【図１２】本発明の第１の実施形態に係るサーバ装置が行う再生時期分析処理のフローチャートである。
【図１３】（ａ）は、時間帯及びジャンルが一致するコンテンツの時間帯毎の再生回数の分布を示す図である。（ｂ）は、時間帯及びジャンルが一致するコンテンツが再生されるまでの日毎の再生回数の分布を示す図である。
【図１４】本発明の第１の実施形態に係るコンテンツ再生端末が行う再生スケジュール情報取得処理のフローチャートである。
【図１５】本発明の第１の実施形態に係るサーバ装置が行う再生スケジュール情報提供処理のフローチャートである。
【図１６】本発明の第１の実施形態に係るコンテンツ再生端末が行う再生予約設定処理のフローチャートである。
【図１７】本発明の第１の実施形態に係るコンテンツ再生端末が行う再生制御処理のフローチャートである。
【図１８】コンテンツの再生予約を設定する画面の表示例を示す図である。
【図１９】本発明の第２の実施形態に係るサーバ装置の構成を示すブロック図である。
【図２０】図１９に示したサーバ装置が記憶するコメントの構成を示す図である。
【図２１】図１９に示したサーバ装置が記憶する再生スケジュール情報の構成を示す図である。
【図２２】本発明の第２の実施形態に係るコンテンツ再生端末の構成を示すブロック図である。
【図２３】本発明の第２の実施形態に係るサーバ装置が行うコメント共有処理のフローチャートである。
【図２４】本発明の第２の実施形態に係るコンテンツ再生端末が行う再生制御処理のフローチャートを示す図である。
【図２５】（ａ）は、再生表示領域とコメント表示領域とを区分けした表示例を示す図である。（ｂ）は、再生表示領域とコメント表示領域とを重畳させた表示例を示す図である。
【発明を実施するための形態】
【００２７】
（第１の実施形態）
以下、本発明の第１の実施形態について図面を参照して説明する。はじめに、図１を参照して、本実施形態に係るコンテンツ再生システム１の構成を説明する。
【００２８】
コンテンツ再生システム１は、コンテンツ再生端末１０と、サーバ装置２０とを備える。コンテンツ再生端末１０及びサーバ装置２０は、ネットワークＮを介して通信を行う。ネットワークＮは、例えばインターネットであり、インターネットへの接続手段は、有線および無線の何れでも良い。また、コンテンツは、放送局ＢＳから放送されるニュース、ドラマ、音楽等の放送番組コンテンツ（以下、コンテンツという）である。
【００２９】
コンテンツ再生端末１０は、放送局ＢＳから放送されたコンテンツを記録し、記録されたコンテンツを再生する端末である。コンテンツ再生端末１０は、例えばＨＤＤ（Hard Disk Drive）レコーダや録画機能付きテレビ、ＰＣ（Personal Computer）などの各種ネットワーク対応端末である。コンテンツ再生端末１０は、再生対象として選択されたコンテンツを、設定された時刻に再生する機能（再生予約機能）を有する。
【００３０】
サーバ装置２０は、コンテンツ再生端末１０で再生された各種コンテンツの再生履歴に基づいてコンテンツの再生傾向を分析する。例えば、ジャンル及び放送時間帯が一致するといった、予め定められた関係を有するコンテンツ（関連コンテンツ）毎に、コンテンツがいつ頃に再生されることが多いのかを分析する。サーバ装置２０は、分析したコンテンツの再生傾向に基づいて、コンテンツを再生する予定日時（再生スケジュール）を求める。
【００３１】
コンテンツ再生端末１０は、自身の端末に記録されたコンテンツの属性情報をサーバ装置２０に送信し、サーバ装置２０から、記録されたコンテンツに対応する再生スケジュールを取得する。これにより、同じ再生スケジュールに基づいてコンテンツの再生予約を行った各コンテンツ再生端末１０は、同じコンテンツを同時に再生（同時再生）できる。
【００３２】
図１に示したサーバ装置２０の構成について、図２を参照して説明する。サーバ装置２０は、制御部２１と、記憶部２２と、通信部２３とを備える。
【００３３】
制御部２１は、例えば、ＣＰＵ(Central Processing Unit)、ＣＰＵのメインメモリとして機能するＲＡＭ（Random Access Memory）、タイマ等から構成される。なお、制御部２１は、一部がＡＳＩＣ（Application Specific Integrated Circuit）等の専用回路から構成されてもよい。制御部２１は、サーバ装置２０全体を制御する。また、制御部２１は、記憶部２２に記録されたプログラムを実行することにより、再生履歴情報取得部２１ａ、再生時期分析部２１ｂ、再生スケジュール決定部２１ｃ、再生スケジュール情報提供部２１ｄとして機能する。各部２１ａ〜２１ｄは、後述の各種処理を行う。
【００３４】
記憶部２２は、例えば、ＲＯＭ（Read Only Memory）やフラッシュメモリ、ＨＤＤ等の記憶装置から構成される。記憶部２２は、制御部２１が各種処理を行うために使用する各種プログラム及びデータ、制御部２１が各種処理を行うことにより生成又は取得した各種データを記憶する。また、記憶部２２は、プログラム記憶部２２ａと、再生履歴情報記憶部２２ｂと、再生傾向情報記憶部２２ｃと、再生スケジュール情報記憶部２２ｄとを備える。
【００３５】
プログラム記憶部２２ａは、各種プログラムを記憶する。プログラム記憶部２２ａには、制御部２１の実行によって、制御部２１を、再生履歴情報取得部２１ａ、再生時期分析部２１ｂ、再生スケジュール決定部２１ｃ、再生スケジュール情報提供部２１ｄとして機能させるプログラムが記録されている。
【００３６】
再生履歴情報記憶部２２ｂは、再生履歴情報を記憶する。再生履歴情報は、各コンテンツ再生端末１０において再生されたコンテンツの再生履歴を表す情報である。再生履歴情報は、例えば図３に示すように、再生されたコンテンツを一意に識別するＩＤ、コンテンツのタイトル、コンテンツの放送日時、コンテンツが属するジャンル、コンテンツの番組時間、コンテンツが再生された時刻（再生日時）等を有する。再生履歴情報記憶部２２ｂには、例えば一定の比率（例えば８０％）を超えて再生されたコンテンツの再生履歴情報が記録される。
【００３７】
再生傾向情報記憶部２２ｃは、再生履歴情報記憶部２２ｂに記録された再生履歴情報を基に、予め定められた関係を有するコンテンツ（関連コンテンツ）毎に、コンテンツがいつ頃に再生されることが多いのかを分析して得られた情報（再生傾向情報）を記憶する。再生傾向情報は、再生時期分析部２１ｂが行う後述の処理によって生成される。再生傾向情報記憶部２２ｃには、例えば図４に示すように、ジャンル、放送時間帯、経過日数（コンテンツが最初に再生されるまでの日数）、再生時間帯（コンテンツが再生される時間帯）を表す再生傾向情報が記録される。
【００３８】
再生スケジュール情報記憶部２２ｄは、再生スケジュール情報を記憶する。再生スケジュール情報は、例えば図５に示すように、コンテンツを一意に識別するＩＤ、コンテンツのタイトル、コンテンツの放送日時、コンテンツが属するジャンル、コンテンツの番組時間、コンテンツの再生予定時刻（再生スケジュール）等の属性を有する。再生スケジュールは、再生スケジュール決定部２１ｃが行う後述の処理によって決定される。
【００３９】
通信部２３は、例えば、ネットワークアダプタ等の通信インタフェース装置から構成される。通信部２３は、制御部２１の制御のもと、コンテンツ再生端末１０との間で通信を行う。なお、通信部２３は、コンテンツ再生端末１０以外のネットワーク内機器とも通信可能である。
【００４０】
次に、図１に示したコンテンツ再生端末１０の構成について、図６を参照して説明する。コンテンツ再生端末１０は、制御部１１と、記憶部１２と、放送受信部１３と、操作部１４と、表示部１５と、サーバ通信部１６とを備える。
【００４１】
制御部１１は、例えば、ＣＰＵ、ＣＰＵのメインメモリとして機能するＲＡＭ、タイマ等から構成される。なお、制御部１１は、一部がＡＳＩＣ等の専用回路から構成されてもよい。制御部１１は、コンテンツ再生端末１０全体を制御する。また、制御部１１は、記憶部１２に記録されたプログラムを実行することにより、再生履歴情報送信部１１ａ、再生スケジュール情報取得部１１ｂ、再生予約設定部１１ｃ、再生制御部１１ｄとして機能する。各部１１ａ〜１１ｄは、後述の各種処理を行う。
【００４２】
記憶部１２は、例えば、ＲＯＭやフラッシュメモリ、ＨＤＤ等の記憶装置から構成される。記憶部１２は、制御部１１が各種処理を行うために使用する各種プログラム及びデータ、制御部１１が各種処理を行うことにより生成又は取得した各種データ、放送を受信することによって得られたコンテンツ等を記憶する。記憶部１２は、プログラム記憶部１２ａと、コンテンツ記憶部１２ｂと、再生履歴情報記憶部１２ｃと、放送番組情報記憶部１２ｄと、再生予約情報記憶部１２ｅとを備える。
【００４３】
プログラム記憶部１２ａは、各種プログラムを記憶する。プログラム記憶部１２ａには、制御部１１の実行によって、制御部１１を、再生履歴情報送信部１１ａ、再生スケジュール情報取得部１１ｂ、再生予約設定部１１ｃ、再生制御部１１ｄとして機能させるプログラムが記録されている。
【００４４】
コンテンツ記憶部１２ｂは、放送局ＢＳから放送されたコンテンツを記憶する。コンテンツは、放送前に録画予約または放送中に録画指示がされることにより、コンテンツ記憶部１２ｂに記録される。コンテンツは、コンテンツの実体であるメディアデータとコンテンツの属性情報とを有する。コンテンツの属性情報は、例えば図７に示すように、コンテンツのＩＤ、コンテンツのタイトル、コンテンツの放送日時、コンテンツが属するジャンル、出演者、番組時間等の属性を有する。
【００４５】
再生履歴情報記憶部１２ｃは、再生履歴情報を記憶する。再生履歴情報は、例えば図８に示すように、再生されたコンテンツを一意に識別するＩＤ、コンテンツのタイトル、コンテンツの放送日時、コンテンツが属するジャンル、コンテンツの番組時間、コンテンツが再生された時刻（再生日時）等を有する。コンテンツ記憶部１２ｂに記録されたコンテンツが再生された場合に、その再生履歴情報は再生履歴情報記憶部１２ｃに記録される。
【００４６】
放送番組情報記憶部１２ｄは、放送局ＢＳから受信した放送信号に含まれる放送番組情報を記憶する。放送番組情報には、放送番組を構成する複数のコンテンツの属性情報が含まれる。また、放送番組情報記憶部１２ｄは、サーバ装置２０から取得した各再生スケジュール情報を記憶する。例えば図９に示す各再生スケジュール情報をサーバ装置２０から取得した場合、各再生スケジュール情報が放送番組情報記憶部１２ｄに記録される。
【００４７】
再生予約情報記憶部１２ｅは、放送番組情報に追加された再生スケジュール情報の中からユーザによって選択、設定されたものを再生予約情報として記憶する。再生予約情報は、再生スケジュール情報と同じ構成を有する。この再生予約情報により表される再生スケジュールの時刻に基づいて、再生制御部１１ｄはコンテンツを再生する制御を行う。
【００４８】
放送受信部１３は、アンテナ、チューナ、放送信号処理部から構成される。放送信号処理部は、制御部１１の制御のもと、放送局ＢＳからの放送信号から各種情報（コンテンツ、放送番組情報等）を抽出し、抽出した各種情報を制御部１１に供給する。
【００４９】
操作部１４は、コンテンツ再生端末１０に各種指示を与え、また文字等の入力操作を行うユーザインタフェース装置（操作ボタン、リモコン装置等）から構成される。操作部１４は、ユーザの各種操作を受け付け、受け付けた各種操作にそれぞれ対応する操作信号を制御部１１に供給する。
【００５０】
表示部１５は、例えば、液晶表示装置、有機ＥＬ(Electro Luminescence)表示装置等から構成される。表示部１５は、制御部１１から供給される各種画像データ（メディアデータ）に基づいて各種画像を出力する。なお、表示部１５は、コンテンツ再生端末１０内部に設けられても、コンテンツ再生端末１０外部に設けられてもよい。
【００５１】
なお、操作部１４と表示部１５とは、タッチパネルから構成されても良い。タッチパネルは、所定の操作を受け付ける画面を表示すると共に、ユーザが画面に接触した位置に対応する操作信号を制御部１１に供給する。
【００５２】
サーバ通信部１６は、例えば、ネットワークアダプタ等の通信インタフェース装置から構成される。サーバ通信部１６は、制御部１１の制御のもと、サーバ装置２０との間で通信を行う。なお、サーバ通信部１６は、サーバ装置２０以外のネットワーク内機器とも通信可能である。
【００５３】
次に、上記構成を有するコンテンツ再生システム１の動作を説明する。
コンテンツ再生システム１において、サーバ装置２０は、定期的又は不定期に、複数のコンテンツ再生端末１０からコンテンツの再生履歴情報を収集する。サーバ装置２０は、収集した再生履歴情報に基づいて、コンテンツの再生傾向を分析して記録する。また、サーバ装置２０は、コンテンツ再生端末１０から受信したコンテンツの属性情報と、分析して記録したコンテンツの再生傾向とに基づいて、コンテンツを同時再生するのに適した日時（再生スケジュール）を想定し、これをコンテンツ再生端末１０に通知する。
各コンテンツ再生端末１０は、自端末に記録されたコンテンツの属性情報をサーバ装置２０に送信し、これに対応する再生スケジュールをサーバ装置２０から取得する。各コンテンツ再生端末１０は、サーバ装置２０から取得した再生スケジュールに基づいてコンテンツの再生予約を設定し、再生スケジュールの時刻に基づいて、同じコンテンツを一斉に再生する。このようにして複数のコンテンツ再生端末１０の間でコンテンツの同時再生を実現する。
【００５４】
次に、上記動作を実現するコンテンツ再生端末１０及びサーバ装置２０が行う処理を説明する。
【００５５】
サーバ装置２０の電源がオンになったとき、制御部２１は、プログラム記憶部２２ａからプログラムを読み出して実行する。これにより、制御部２１は、再生履歴情報取得部２１ａ、再生時期分析部２１ｂ、再生スケジュール決定部２１ｃ、再生スケジュール情報提供部２１ｄとして機能し、各部２１ａ〜２１ｄは、電源がオフになるまで、以下の各種処理を繰り返し行う。
（１）各コンテンツ再生端末１０から送信される再生履歴情報を記録する再生履歴情報記録処理。
（２）各コンテンツ再生端末１０から受け取った再生履歴情報を基に、コンテンツの再生時期を分析する再生時期分析処理。
（３）コンテンツ再生端末１０からの問い合わせに応じて、再生スケジュール情報を問い合わせ元のコンテンツ再生端末１０に提供する再生スケジュール情報提供処理。
【００５６】
一方、コンテンツ再生端末１０の電源がオンになったとき、制御部１１は、プログラム記憶部１２ａからプログラムを読み出して実行する。これにより、制御部１１は、再生履歴情報送信部１１ａ、再生スケジュール情報取得部１１ｂ、再生予約設定部１１ｃ、再生制御部１１ｄとして機能し、各部１１ａ〜１１ｄは、電源がオフになるまで、以下の各種処理を繰り返し行う。
（１）再生履歴情報記憶部１２ｃに記録された再生履歴情報をサーバ装置２０に送信する再生履歴情報送信処理。
（２）コンテンツ記憶部１２ｂに記録されたコンテンツに対応する再生スケジュール情報をサーバ装置２０から取得する再生スケジュール情報取得処理。
（３）サーバ装置２０から取得した再生スケジュール情報に基づいて、コンテンツの再生予約を行う再生予約設定処理。
（４）再生スケジュールの時刻の到来に従って、再生予約されたコンテンツを再生する再生制御処理。
【００５７】
図１０を参照して、コンテンツ再生端末１０が行う再生履歴情報送信処理を説明する。再生履歴情報送信部１１ａは、例えば、１時間毎等、再生履歴情報を送信するタイミングとして予め設定されたタイミングが到来するまで待機し（ステップＳ１１１；ＮＯ）、そのタイミングが到来したと判別した場合（ステップＳ１１１；ＹＥＳ）、再生履歴情報記憶部１２ｃに記録された再生履歴情報を全て読み出し（ステップＳ１１２）、読み出した再生履歴情報をサーバ装置２０に送信する（ステップＳ１１３）。以上により、再生履歴情報送信処理は行われる。
【００５８】
次に図１１を参照して、サーバ装置２０が行う再生履歴情報記録処理を説明する。再生履歴情報取得部２１ａは、コンテンツ再生端末１０から再生履歴情報を取得するまで待機し（ステップＳ２１１；ＮＯ）、再生履歴情報を取得したと判別した場合に（ステップＳ２１１；ＹＥＳ）、取得した再生履歴情報を再生履歴情報記憶部２２ｂに順次記録する（ステップＳ２１２）。再生履歴情報取得部２１ａは、コンテンツ再生端末１０から取得した再生履歴情報を、例えば、コンテンツのジャンルと放送日時の時間帯と（関連コンテンツを識別する情報）が一致するコンテンツ（関連コンテンツ）毎に並べ変えて再生履歴情報記憶部２２ｂに記録する。例えば図３に示すように、ジャンルが「連続ドラマ」で一致し、放送時間帯が「１９：００」で一致するコンテンツは、何れも関連コンテンツとして特定され、ジャンル及び放送時間帯が一致する関連コンテンツ毎に、再生履歴情報が再生履歴情報記憶部２２ｂに記録される。
【００５９】
つづいて図１２を参照して、サーバ装置２０が行う再生時期分析処理を説明する。
【００６０】
再生時期分析部２１ｂは、例えば１時間毎等、再生時期を分析するタイミングが到来するまで待機し（ステップＳ２２１；ＮＯ）、そのタイミングが到来したと判別した場合（ステップＳ２２１；ＹＥＳ）、再生履歴情報記憶部２２ｂに記録された再生履歴情報を関連コンテンツ毎に読み出す（ステップＳ２２２）。
【００６１】
再生時期分析部２１ｂは、関連コンテンツがあるか否かを判別し（ステップＳ２２３）、ないと判別した場合は（ステップＳ２２３；ＮＯ）、再生時期分析処理を終了する。
【００６２】
一方、再生時期分析部２１ｂは、関連コンテンツがあると判別した場合は（ステップＳ２２３；ＹＥＳ）、読み出した再生履歴情報に含まれるコンテンツの再生日時に基づいて、例えば、図１３（ａ）に示すように、関連コンテンツが再生された時間帯毎の再生回数を算出する（ステップＳ２２４）。
【００６３】
再生時期分析部２１ｂは、再生回数が最多である時間帯を代表時間帯として特定する（ステップＳ２２５）。つまり、ここでは再生時期分析部２１ｂによって、２１時が特定される。
【００６４】
また、再生時期分析部２１ｂは、読み出した再生履歴情報に含まれるコンテンツの再生日時及び放送日時に基づいて、例えば、図１３（ｂ）に示すように、関連コンテンツが最初に再生されるまでの経過日数毎の再生回数を算出する（ステップＳ２２６）。
【００６５】
再生時期分析部２１ｂは、再生回数が最多である経過日数を代表日数として特定する（ステップＳ２２７）。つまり、ここでは再生時期分析部２１ｂによって、１日後が特定される。
【００６６】
そして、再生時期分析部２１ｂは、関連コンテンツを特定するジャンル（連続ドラマ）及び放送時間帯（１９：００）、再生回数が最多である時間帯（２１：００）、及び、再生回数が最多である経過日数（１日後）を表す再生傾向情報を生成し、図４に示すように、生成した再生傾向情報を再生傾向情報記憶部２２ｃに記録する（ステップＳ２２８）。
【００６７】
その後、再生時期分析部２１ｂは、関連コンテンツが他にあるか否かを判別し（ステップＳ２２９）、関連コンテンツが他にあると判別した場合は（ステップＳ２２９；ＹＥＳ）、ステップＳ２２４に戻り、再生時期分析部２１ｂは、上記と同じ処理を行う。一方、再生時期分析部２１ｂは、関連コンテンツが他にないと判別した場合は（ステップＳ２２９；ＮＯ）、再生時期分析処理を終了する。以上により再生時期分析処理は終了する。
【００６８】
次に図１４を参照して、コンテンツ再生端末１０が行う再生スケジュール情報取得処理を説明する。
【００６９】
再生スケジュール情報取得部１１ｂは、新たなコンテンツがコンテンツ記憶部１２ｂに記録される毎、一定時間毎等、再生スケジュール情報を取得する条件として予め設定されたタイミングが到来するまで待機し（ステップＳ１２１；ＮＯ）、そのタイミングが到来したと判別した場合（ステップＳ１２１；ＹＥＳ）、コンテンツ記憶部１２ｂに記録された全てのコンテンツの属性情報をサーバ装置２０に送信する（ステップＳ１２２）。ここで送信するコンテンツの属性情報は、前回の送信時に送信したコンテンツの属性情報との差分であってもよい。これにより再生スケジュール情報をサーバ装置２０に問い合わせる。例えば、図７に示したコンテンツ記憶部１２ｂに４つのコンテンツが記録されていた場合、これに対応する全てのコンテンツの属性情報をサーバ装置２０に送信する。その後、再生スケジュール情報取得部１１ｂは、サーバ装置２０からの応答があるまで待機状態となる（ステップＳ１２３；ＮＯ）。
【００７０】
ここで図１５を参照して、サーバ装置２０が行う再生スケジュール情報提供処理を説明する。
【００７１】
再生スケジュール決定部２１ｃは、コンテンツ再生端末１０から再生スケジュール情報の問い合わせがあったか否かを判別し（ステップＳ２３１）、問い合わせがあるまで待機する（ステップＳ２３１；ＮＯ）。再生スケジュール決定部２１ｃは、再生スケジュール情報の問い合わせがあったと判別した場合（ステップＳ２３１；ＹＥＳ）、その問い合わせと共に受信したコンテンツの属性情報のうちの一つを選択し、選択したコンテンツの属性情報について再生スケジュール情報を検索する（ステップＳ２３２）。
【００７２】
再生スケジュール決定部２１ｃは、選択したコンテンツの属性情報を有する再生スケジュール情報が再生スケジュール情報記憶部２２ｄに既に記録されていると判別した場合（ステップＳ２３３；ＹＥＳ）、その再生スケジュール情報を再生スケジュール情報記憶部２２ｄから読み出す。例えば、コンテンツの属性情報により表されるコンテンツＩＤ、タイトル、放送日時等が互いに一致する再生スケジュール情報が再生スケジュール情報記憶部２２ｄに記録されている場合、再生スケジュール決定部２１ｃは、その再生スケジュール情報を再生スケジュール情報記憶部２２ｄから読み出す。
【００７３】
一方、再生スケジュール決定部２１ｃは、選択したコンテンツの属性情報を有する再生スケジュール情報が再生スケジュール情報記憶部２２ｄに記録されていないと判別した場合（ステップＳ２３３；ＮＯ）、対応する再生傾向情報が再生傾向情報記憶部２２ｃに記録されているか否かを判別する（ステップＳ２３４）。具体的には、再生スケジュール決定部２１ｃは、選択したコンテンツの属性情報により表されるジャンル、放送日時の時間帯を有する再生傾向情報を検索する。再生スケジュール決定部２１ｃは、対応する再生傾向情報が再生傾向情報記憶部２２ｃに記録されていると判別した場合は（ステップＳ２３４；ＹＥＳ）、その再生傾向情報から再生時間帯と日数とを抽出する（ステップＳ２３５）。例えば、コンテンツの属性情報により表されるジャンルが「連続ドラマ」で、放送日時が「１１月１８日１９：００」だった場合、図４に示した再生傾向情報から、ジャンル「連続ドラマ」、放送時間帯「１９：００」である再生傾向情報が選択され、その再生傾向情報から再生時間帯「２１：００」、経過日数「１日」が抽出される。一方、再生スケジュール決定部２１ｃは、対応する再生傾向情報が再生傾向情報記憶部２２ｃに記録されていないと判別した場合は（ステップＳ２３４；ＮＯ）、再生スケジュール情報提供部２１ｄは、コンテンツの属性情報が他にあるか否かを判別する（ステップＳ２３８）。つまり、この場合、選択したコンテンツの属性情報に対応する再生スケジュール情報は得られず、他のコンテンツの属性情報に基づいて再生スケジュール情報を検索する処理を行う。
【００７４】
ステップＳ２３５において、再生時間帯及び日数が抽出された場合、再生スケジュール決定部２１ｃは、コンテンツの属性情報により表される放送日時のうちの放送日（ここでは１１月１８日）に、抽出した経過日数（１日）を足し合わせることにより再生予定日（１１月１９日）を求める。また再生スケジュール決定部２１ｃは、抽出した時間帯（２１：００）を再生予定時刻とする。このようにして、再生スケジュール決定部２１ｃは、受信したコンテンツの属性情報から選択された一のコンテンツの属性情報に基づいて、コンテンツを再生する再生スケジュール（１１月１９日２１：００）を求める（ステップＳ２３６）。
【００７５】
そして、再生スケジュール情報提供部２１ｄは、図５に示すように、コンテンツの属性情報の他、再生スケジュール決定部２１ｃにより求められたコンテンツの再生スケジュールを表す再生スケジュール情報を生成し、これを再生スケジュール情報記憶部２２ｄに記録する（ステップＳ２３７）。
【００７６】
その後、再生スケジュール情報提供部２１ｄは、その他（未選択）のコンテンツの属性情報があるか否かを判別し（ステップＳ２３８）、あると判別した場合は（ステップＳ２３８；ＹＥＳ）、ステップＳ２３２に戻って上記と同様の処理を行う。
【００７７】
一方、再生スケジュール情報提供部２１ｄは、コンテンツ再生端末１０から受信した全てのコンテンツの属性情報について上記処理を行ったと判別した場合（ステップＳ２３８；ＮＯ）、これまでの処理で得られた全ての再生スケジュール情報を問い合わせ結果として、問い合わせ元のコンテンツ再生端末１０に送信する（ステップＳ２３９）。なお、再生スケジュール情報が全く得られなかった場合も、その旨を問い合わせ元のコンテンツ再生端末１０に送信する。以上により、再生スケジュール情報提供処理は終了する。
【００７８】
図１４に戻り、コンテンツ再生端末１０の再生スケジュール情報取得部１１ｂは、サーバ装置２０から応答があったと判別した場合（ステップＳ１２３；ＹＥＳ）、再生スケジュール情報を取得したか否かを判別する（ステップＳ１２４）。再生スケジュール情報取得部１１ｂは、サーバ装置２０から再生スケジュール情報を取得したと判別した場合は（ステップＳ１２４；ＹＥＳ）、取得した再生スケジュール情報を放送番組情報記憶部１２ｄに記録する（ステップＳ１２５）。これにより、放送番組情報記憶部１２ｄには、放送番組を構成する複数の番組の他、コンテンツ記憶部１２ｂに記録された放送後のコンテンツに対応する再生スケジュールが記録される。以上により、再生スケジュール情報取得処理は終了する。
【００７９】
次に図１６を参照して、コンテンツ再生端末１０が行う再生予約設定処理を説明する。
【００８０】
ユーザが操作部１４を用いて放送番組情報記憶部１２ｄに記録された放送番組情報を読み出す操作を行うと、表示部１５には、例えば現在日時の時間帯を含む番組表が表示される。また、表示部１５には、その時間帯に対応する再生スケジュール情報（コンテンツのタイトル、再生スケジュール（予定日時）等）も表示される。また、表示部１５には、現在日時以外の日時を指定する項目も表示され、ユーザが操作部１４を用いてその項目を指定する操作を行うと、指定された日時の時間帯を含む番組表、及び、その時間帯に対応する再生スケジュール情報が表示される。
【００８１】
再生予約設定部１１ｃは、ユーザが操作部１４を用いて表示部１５に表示された再生スケジュール情報を選択する操作を待機し（ステップＳ１３１；ＮＯ）、その操作がされた場合（ステップＳ１３１；ＹＥＳ）、選択された再生スケジュール情報により表される再生スケジュールに基づいてコンテンツを再生予約する（ステップＳ１３２）。例えば、図１８に示すように、１１月１９日の１８時から２１時の時間帯の番組表が表示部１５に表示されている場合において、ユーザの操作に従って、コンテンツのタイトルが「番組Ｊ」で、再生スケジュール「１１月１９日２１：００」を表す再生スケジュール情報が選択された場合、再生予約を行うか否かを選択する画面を表示部１５に表示する。ユーザの操作に従って再生予約を行う選択がされると、再生予約設定部１１ｃは、その再生スケジュール（１１月１９日２１：００）に基づいてコンテンツを再生予約する。再生予約設定部１１ｃは、選択された再生スケジュール情報を再生予約情報とし、これを再生予約情報記憶部１２ｅに記録する。これによりコンテンツの再生予約が行われる。以上により、再生予約設定処理は終了する。
【００８２】
次に図１７を参照して、コンテンツ再生端末１０が行う再生制御処理を説明する。
【００８３】
再生制御部１１ｄは、再生スケジュールの時刻が到来したか否かを、現在日時を基に判別する（ステップＳ１４１）。例えば、再生予約した前述のコンテンツの再生スケジュールは「１１月１９日２１：００」であり、この時刻が到来したとき、再生制御部１１ｄは、再生スケジュールの時刻が到来したと判別する。
【００８４】
再生制御部１１ｄは、再生スケジュールの時刻が到来したと判別した場合は（ステップＳ１４１；ＹＥＳ）、その再生スケジュール情報に含まれるコンテンツを識別する情報（コンテンツＩＤ）に基づいて再生対象のコンテンツ（ここでは「番組Ｊ」のコンテンツ）をコンテンツ記憶部１２ｂから読み出し、コンテンツの再生を開始する（ステップＳ１４２）。これにより、同じ再生スケジュール情報に基づいてコンテンツの再生予約を行った（再生予約情報を記録した）各コンテンツ再生端末１０は、同一コンテンツを一斉に再生する。
【００８５】
その後、再生制御部１１ｄは、再生中のコンテンツについて、所定のタイミングまたはコンテンツの属性情報により表される番組時間等に基づいて、再生中のコンテンツの再生が終了したか否かを判別し（ステップＳ１４３）、コンテンツの再生が終了したと判別されるまで（ステップＳ１４３；ＹＥＳ）、コンテンツを再生し続ける。なお、再生制御部１１ｄは、ユーザによるコンテンツの再生を停止する操作が行われた場合もコンテンツの再生が終了したと判別する。以上により、再生制御処理は終了する。
【００８６】
以上、説明したように、本実施形態に係るコンテンツ再生システム１によれば、サーバ装置２０は、各コンテンツ再生端末１０から取得される、放送後のコンテンツの再生履歴に基づいて関連番組のコンテンツを再生するのに適した時期を求め、各コンテンツ再生端末１０から受け取るコンテンツの属性情報に基づいて、そのコンテンツに対応する再生スケジュール情報を提供できる。一方、各コンテンツ再生端末１０は、自身の端末に記録されたコンテンツに対応する再生スケジュール情報をサーバ装置２０から取得し、取得した再生スケジュール情報に基づいてコンテンツの再生予約ができる。これにより、比較的に簡単な作業により複数のユーザが同一コンテンツを同時に視聴でき、各ユーザは、同じコンテンツを再生しているという共通の意識を持つことができる。
【００８７】
コンテンツ再生端末１０は、サーバ装置２０から取得した再生スケジュール情報を放送番組情報に追加することにより、ユーザは、録画したコンテンツに対応する再生スケジュールを番組表内で確認でき、これにより、録画したコンテンツを再生しないまま死蔵させてしまうことを防ぐことができる。
【００８８】
なお、コンテンツ再生端末１０は、録画した全てのコンテンツに対応する再生スケジュール情報を取得する以外に、ユーザの操作に基づいて選択されたコンテンツに対応する再生スケジュール情報をサーバ装置２０から取得しても良い。この場合の一例を以下に説明する。
【００８９】
例えば、図７に示したコンテンツ記憶部１２ｂに記録されたコンテンツの中から、タイトルが「番組Ｊ」で放送日時が「１１月１８日１９：００」のコンテンツがユーザによって選択された場合、再生スケジュール情報取得部１１ｂは、このコンテンツの属性情報をサーバ装置２０に送信する。
【００９０】
サーバ装置２０の再生スケジュール決定部２１ｃは、コンテンツ再生端末１０から受信したコンテンツの属性情報に基づいて、上記実施形態と同様に、再生スケジュール情報の生成または読み出しを行う。ここでは、選択したコンテンツのジャンル「連続ドラマ」、放送日時「１１月１８日１９：００」に基づいて、図４に示す再生傾向情報から、再生スケジュールが「１１月１９日２１：００」である再生スケジュール情報が得られる。または、選択したコンテンツの属性情報に基づいて、図５に示す再生スケジュール情報の中から再生スケジュールが「１１月１９日２１：００」である再生スケジュール情報が得られる。再生スケジュール情報提供部２１ｄは、得られた再生スケジュール情報を問い合わせ元のコンテンツ再生端末１０に送信する。
【００９１】
コンテンツ再生端末１０の再生スケジュール情報取得部１１ｂは、サーバ装置２０から取得した再生スケジュール情報を放送番組情報記憶部１２ｄに記録する。また、再生予約設定部１１ｃは、サーバ装置２０から取得した再生スケジュール情報（１１月１９日２１：００）を含む時間帯の番組表を表示部１５に表示する。これにより、ユーザは、自身が選択したコンテンツに対応する再生スケジュール情報とともに、その時間帯の番組表を確認できる。そして、ユーザの操作に従って、表示部１５に表示された再生スケジュール情報が選択されると、再生予約設定部１１ｃは、図１８に示すように再生予約を行うか否かを選択する画面を表示部１５に表示する。そして、さらにユーザの操作に従って再生予約を行う選択がされると、再生予約設定部１１ｃは、その再生スケジュール（１１月１９日２１：００）に基づいてコンテンツを再生予約する。以上のようにして、ユーザによって選択されたコンテンツに対応する再生スケジュール情報をサーバ装置２０から取得し、この再生スケジュール情報に基づいてコンテンツの再生予約を行っても良い。
【００９２】
また、コンテンツ再生端末１０は、ユーザの操作に基づいて、放送番組情報記憶部１２ｄに記録された放送番組情報から再生対象のコンテンツを選択し、選択されたコンテンツに対応する再生スケジュール情報をサーバ装置２０から取得しても良い。この場合も、再生スケジュール情報取得部１１ｂは、選択されたコンテンツの属性情報をサーバ装置２０に送信し、選択されたコンテンツに対応する再生スケジュール情報をサーバ装置２０から取得し、これを放送番組情報記憶部１２ｄに記録する。再生予約設定部１１ｃは、放送される前のコンテンツに対応する再生スケジュール情報が選択された場合、そのコンテンツに対応する再生スケジュール情報に基づいて、再生予約及び録画予約を行う。
【００９３】
また、コンテンツ再生端末１０の再生スケジュール情報取得部１１ｂは、コンテンツ記憶部１２ｂまたは放送番組情報記憶部１２ｄから１以上のコンテンツを同時再生対象のコンテンツとして選択する操作を受け付け、それぞれに対応する再生スケジュール情報をサーバ装置２０から一括で取得するようにしても良い。
【００９４】
また、コンテンツ再生端末１０の再生履歴情報送信部１１ａが送信する再生履歴情報の送信タイミングは、コンテンツが再生される毎、サーバ装置２０からの要求を受け付けたとき等、適宜に設定できるようにしても良い。
【００９５】
また、放送時刻の時間帯のみが一致しているコンテンツ、タイトルのみが一致しているコンテンツを、それぞれ関連コンテンツとして扱っても良い。また、その他の属性（例えばジャンル、出演者）が一致するコンテンツを関連コンテンツとして扱っても良い。
【００９６】
また、サーバ装置２０の再生スケジュール決定部２１ｃによって求められる再生スケジュールは、日にち、時間帯の何れかでも良い。例えば、関連コンテンツが録画されてから最初に再生されるまでの日数毎の再生回数のみに基づいて日にちのみの再生スケジュールを求めても良い。一方、関連コンテンツが再生される時間帯毎の再生回数のみの再生スケジュールを求めても良い。また、再生スケジュールは、曜日の要素を含んでも良い。この場合、関連コンテンツが再生される曜日のうちで最も再生回数が多い曜日を求めることにより、曜日を考慮した再生傾向を分析し、曜日を考慮した再生傾向に基づいて、コンテンツを再生する予定曜日を求めても良い。
【００９７】
また、サーバ装置２０の再生時期分析部２１ｂは、関連コンテンツ毎に、再生されるまでの経過日数及び再生される時間帯について、それぞれ再生回数が最多であるものを求めているが、これらの再生回数が多いものから順に複数を選択し、複数の再生傾向情報を生成しても良い。この場合、再生スケジュール決定部２１ｃは、複数の再生スケジュールを求め、ユーザは、複数の再生スケジュールの候補の中から好みの再生スケジュールを選択できる。
【００９８】
（第２の実施形態）
以下、本発明の第２の実施形態について図面を参照して説明する。なお、第１の実施形態において説明した構成及び処理と同一のものについては説明を省略する。第２の実施形態に係るコンテンツ再生システム１は、複数のコンテンツ再生端末１０がそれぞれ同一のコンテンツを同時に再生する際に、サーバ装置２０によって設定される接続先を介して、各ユーザの間でコメントを共有できるコメント共有サービスを提供する。
【００９９】
サーバ装置２０は、図１９に示すように、第１の実施形態で説明した構成に加えて、制御部２１に接続先設定部２１ｅ、コメント処理部２１ｆを備え、記憶部２２にコメント記憶部２２ｅを備える。
【０１００】
接続先設定部２１ｅ及びコメント処理部２１ｆは、制御部２１がプログラム記憶部２２ａに記録されたプログラムを実行することにより機能し、後述の処理を行う。
【０１０１】
コメント記憶部２２ｅは、接続先設定部２１ｅにより設定される接続先、および接続先へのコメントデータ等を記憶する。接続先には各コンテンツ再生端末１０から送信されるコメントが順次記録される。コメント記憶部２２ｅに記録されたコメントは、例えばｈｔｍｌ（Hyper Text Markup Language）形式の情報として、その一覧が各コンテンツ再生端末１０に提供される。コメントは、例えば図２０に示すように、コメント情報、投稿時刻情報、ユーザ識別情報から構成される。コメント情報はコメントの文字列（テキスト）である。投稿時刻情報は、コメントが投稿された時刻を表す情報である。ユーザ識別情報は、コメントを投稿したユーザを識別する情報である。ユーザ識別情報には、例えば、コンテンツ再生システム１を利用する際に事前に登録されたユーザＩＤ、コンテンツ再生端末１０を識別する端末ＩＤ等がある。
【０１０２】
また、再生スケジュール情報記憶部２２ｄに記録された再生スケジュール情報は、図２１に示すように、接続先情報を有する。接続先情報は、接続先設定部２１ｅにより設定される接続先を表す情報であり、例えばＵＲＬ（Uniform Resource Locator)等である。
【０１０３】
一方、コンテンツ再生端末１０は、図２２に示すように、第１の実施形態で説明した構成に加えて通信制御部１１ｅを備える。通信制御部１１ｅは、制御部１１がプログラム記憶部１２ａに記録されたプログラムを実行することにより機能し、後述の処理を行う。
【０１０４】
また、再生スケジュール情報取得部１１ｂは、前述の接続先情報を有する再生スケジュール情報を取得し、これを放送番組情報記憶部１２ｄに記録する。
【０１０５】
次に、上記構成を有するコンテンツ再生システム１の動作を説明する。
【０１０６】
サーバ装置２０は、再生履歴情報記録処理、再生時期分析処理、再生スケジュール情報提供処理、及びコメント共有処理を行う。再生履歴情報記録処理及び再生時期分析処理は、第１の実施形態と同様の処理を行う。
【０１０７】
再生スケジュール情報提供処理では、接続先設定部２１ｅは、再生スケジュール決定部２１ｃにより求められた再生スケジュールに対応する接続先をコメント記憶部２２ｅ内に設定する。また、接続先設定部２１ｅは、設定された接続先の記憶場所を表す接続先情報を生成する。接続先情報は、例えば、サーバ装置２０の記憶場所を表すドメインＵＲＬと、コンテンツのタイトルと、再生スケジュールとを組み合わせた文字列をＵＲＬ変換（ＵＲＬエンコード）することにより生成される。再生スケジュール決定部２１ｃは、再生スケジュールと、接続先設定部２１ｅにより生成された接続先情報とを表す再生スケジュール情報を生成し、これを図２１に示すように、再生スケジュール情報記憶部２２ｄに記録する。
【０１０８】
そして、再生スケジュール情報提供部２１ｄは、第１の実施形態と同様、コンテンツ再生端末１０から受け取ったコンテンツの属性情報に対応する再生スケジュール情報をコンテンツ再生端末１０に送信する。これにより、コンテンツ再生端末１０の再生スケジュール情報取得部１１ｂは、接続先情報を有する再生スケジュール情報を取得する。
【０１０９】
次に、コメント共有処理について、図２３を参照して説明する。コメント処理部２１ｆは、再生スケジュール情報記憶部２２ｄに記録された再生スケジュール情報に基づいて、再生スケジュールの時刻が到来したか否かを、現在日時を基に判別する（ステップＳ２４１）。例えば、「１１月１９日２１：００」の再生スケジュールを表す再生スケジュール情報が記録されていた場合、コメント処理部２１ｆは、この時刻に再生スケジュールが到来したと判別する（ステップＳ２４１；ＹＥＳ）。このとき、コメント処理部２１ｆは、再生スケジュール情報に対応する接続先へのコメントの投稿（記録）を許可し（ステップＳ２４２）、コメントの投稿及び閲覧を可能とさせる。
【０１１０】
その後、コメント処理部２１ｆは、コメントの投稿が許可された接続先に接続する各コンテンツ再生端末１０からコメントが投稿されたと判別した場合（ステップＳ２４３；ＹＥＳ）、投稿されたコメントを接続先に順次記録し、記録されたコメントの一覧を各コンテンツ再生端末１０に提供する（ステップＳ２４４）。
【０１１１】
そして、コメント処理部２１ｆは、再生スケジュール情報に含まれる放送時間（番組時間）に基づいて、コンテンツの再生が終了したと判別するまでコメントの受け付け及びコメントの一覧の提供を行い（ステップＳ２４５；ＮＯ）、コンテンツの再生が終了した場合（ステップＳ２４５；ＹＥＳ）、コメント共有処理を終了する。つまり、この場合に、同時再生したコンテンツのコメント共有サービスの提供が終了する。
【０１１２】
一方、コンテンツ再生端末１０は、再生履歴情報送信処理、再生スケジュール情報取得処理、再生予約設定処理、及び再生制御処理を行う。再生履歴情報送信処理、再生スケジュール情報取得処理、及び再生予約設定処理は、第１の実施形態と同様の処理を行う。なお、再生スケジュール情報取得処理において、再生スケジュール情報取得部１１ｂがサーバ装置２０から取得する再生スケジュール情報には接続先情報が含まれる。
【０１１３】
再生制御処理では、第１の実施形態と同様にコンテンツの再生制御を行う他、サーバ装置２０により設定された接続先に接続する制御を行う。以下、再生制御処理について、図２４を参照して説明する。
【０１１４】
再生制御部１１ｄによって、再生スケジュールの時刻が到来したと判別された場合（ステップＳ１５１；ＹＥＳ）、通信制御部１１ｅは、その再生スケジュールを表す再生予約情報（再生スケジュール情報）に含まれる接続先情報（ＵＲＬ）を指定する。これにより、通信制御部１１ｅは、サーバ装置２０により設定された接続先に接続する（ステップＳ１５２）。例えば、再生スケジュールが「１１月１９日２１：００」であった場合、通信制御部１１ｅは、この時刻の到来に従って、再生予約情報に含まれる接続先情報を指定し、サーバ装置２０により設定された接続先に接続する。
【０１１５】
このとき再生制御部１１ｄは、例えば、図２５（ａ）に示すように、再生対象のコンテンツが表示されるコンテンツ再生表示領域、コンテンツ再生端末１０のユーザによって投稿されるコメントを入力するコメント入力領域、各コンテンツ再生端末１０のユーザによって投稿されたコメントの一覧を表示するコメント表示領域等を有する画面（コメント共有画面）を表示部１５に表示する（ステップＳ１５３）。表示部１５の画面には、サーバ装置２０から提供される情報に基づいて、共通の接続先に接続している参加人数を表す参加人数情報が表示される。なお、コンテンツ再生表示領域とコメント表示領域とは、図２５（ｂ）に示すように、重複する態様としても良い。
【０１１６】
通信制御部１１ｅは、ユーザが操作部１４を介してコメントを投稿する操作を行うと（ステップＳ１５５；ＹＥＳ）、表示部１５に表示されたコメント入力領域に入力されたコメント情報と、投稿時刻情報と、ユーザ識別情報とを含むコメントを接続先に送信する（ステップＳ１５６）。また、通信制御部１１ｅは、接続先にコメント情報が記録されるたびにサーバ装置２０から送信されるコメントの一覧を受け取り、これを表示部１５に表示されたコメント表示領域に表示する。
【０１１７】
その後、コンテンツの再生が終了した場合に（ステップＳ１５７；ＹＥＳ）、通信制御部１１ｅは、サーバ装置２０との通信を終了して、サーバ装置２０が提供するコメント共有サービスの利用を終了する。以上により、再生制御処理は終了する。
【０１１８】
以上、説明したように、本実施形態に係るコンテンツ再生システム１によれば、再生スケジュール情報に基づいて複数のコンテンツ再生端末１０がそれぞれ同一のコンテンツを同時に再生する際に、サーバ装置２０により設定された接続先を介して、各ユーザの間でコメントを共有できる。これにより、コンテンツが放送される放送時刻以外で、複数のユーザの間で同一コンテンツを視聴しながら、リアルタイム感覚でコメントを共有でき、コンテンツ再生の楽しみが広がる。
【０１１９】
また、本実施形態では、サーバ装置２０内にコンテンツ再生端末１０からのコメントを記憶する接続先を設定したが、これをサーバ装置２０外に設定しても良い。
【０１２０】
また、サーバ装置２０において設定される接続先を表す接続先情報（ＵＲＬ）は、所定のルールに従って、コンテンツ再生端末１０において生成されても良い。例えば、再生予約設定部１１ｃは、ネットワークＮ上のサーバ装置２０の記憶場所を表すドメインＵＲＬと、再生予約情報（再生スケジュール情報）に含まれるコンテンツのタイトルと、コンテンツの再生スケジュールの時刻とを組み合わせた文字列をＵＲＬ変換（ＵＲＬエンコード）することにより接続先情報を生成し、サーバ装置２０から取得した再生スケジュール情報に付加しても良い。この場合、サーバ装置２０の接続先設定部２１ｅは、接続先情報を生成しなくても良い。
【０１２１】
また、コンテンツ再生端末１０が接続先を利用できる期間については、サーバ装置２０において適宜に設定できる。例えば、再生スケジュールの時刻が到来する１０分前から接続先への接続を許可することや、コンテンツの再生が終了した後、３日後に接続先への接続を拒否する等、適宜に設定でき、これを基に、サーバ装置２０のコメント処理部２１ｆは、接続先への接続の可否を判別しても良い。
【０１２２】
なお、本発明に係るコンテンツ再生端末１０及びサーバ装置２０は、それぞれ、通常のコンピュータにより実現できる。この場合、上記の実施形態で説明したプログラムは、コンピュータにより実行される。また、コンピュータは、プログラムに従って、それぞれ、上記の実施形態で説明した動作を行う。また、プログラムは、持ち運び可能な記録媒体等に記録されたものでもよい。持ち運び可能な記録媒体には、例えば、ＣＤ−ＲＯＭ、ＤＶＤ−ＲＯＭ、ＢＤ−ＲＯＭ等がある。また、プログラムは、持ち運び可能な記録媒体から各種読取装置を介して、コンテンツ再生端末１０及びサーバ装置２０にそれぞれインストールされたものでも良い。さらに、プログラムは、インターネット等を介して、コンテンツ再生端末１０及びサーバ装置２０にそれぞれダウンロード及びインストールされたものでもよい。また、プログラムは、コンテンツ再生端末１０、サーバ装置２０と通信可能なサーバ等の記憶装置に格納されたものでも良い。
【０１２３】
その他、本発明は、上記実施形態の説明及び図面によって限定されるものではなく、上記実施形態及び図面に適宜変更等を加えることは可能である。
【符号の説明】
【０１２４】
１  コンテンツ再生システム
１０  コンテンツ再生端末
１１  制御部
１１ａ  再生履歴情報送信部
１１ｂ  再生スケジュール情報取得部
１１ｃ  再生予約設定部
１１ｄ  再生制御部
１１ｅ  通信制御部
１２  記憶部
１２ａ  プログラム記憶部
１２ｂ  コンテンツ記憶部
１２ｃ  再生履歴情報記憶部
１２ｄ  放送番組情報記憶部
１２ｅ  再生予約情報記憶部
１３  放送受信部
１４  操作部
１５  表示部
１６  サーバ通信部
２０  サーバ装置
２１  制御部
２１ａ  再生履歴情報取得部
２１ｂ  再生時期分析部
２１ｃ  再生スケジュール決定部
２１ｄ  再生スケジュール情報提供部
２１ｅ  接続先設定部
２１ｆ  コメント処理部
２２  記憶部
２２ａ  プログラム記憶部
２２ｂ  再生履歴情報記憶部
２２ｃ  再生傾向情報記憶部
２２ｄ  再生スケジュール情報記憶部
２２ｅ  コメント記憶部
２３  通信部
ＢＳ  放送局
Ｎ  ネットワーク
【図１】
2013207793.tif 000003
【図２】
2013207793.tif 000004
【図３】
2013207793.tif 000005
【図４】
2013207793.tif 000006
【図５】
2013207793.tif 000007
【図６】
2013207793.tif 000008
【図７】
2013207793.tif 000009
【図８】
2013207793.tif 000010
【図９】
2013207793.tif 000011
【図１０】
2013207793.tif 000012
【図１１】
2013207793.tif 000013
【図１２】
2013207793.tif 000014
【図１３】
2013207793.tif 000015
【図１４】
2013207793.tif 000016
【図１５】
2013207793.tif 000017
【図１６】
2013207793.tif 000018
【図１７】
2013207793.tif 000019
【図１８】
2013207793.tif 000020
【図１９】
2013207793.tif 000021
【図２０】
2013207793.tif 000022
【図２１】
2013207793.tif 000023
【図２２】
2013207793.tif 000024
【図２３】
2013207793.tif 000025
【図２４】
2013207793.tif 000026
【図２５】
2013207793.tif 000027